(57)【特許請求の範囲】
【請求項１】
利用者が携帯する携帯端末と電界通信を行うゲートシステムであって、
一対のゲートの一方のゲートの内側に設置される主電極と、
前記一方のゲートの入口側に設置される補助電極と、
前記主電極と接続され、前記携帯端末と電界通信が可能な主トランシーバと、
前記補助電極と接続され、前記携帯端末と電界通信が可能な補助トランシーバと、
前記主トランシーバおよび前記補助トランシーバが受信した、前記携帯端末からの信号を用いて、前記携帯端末を携帯する利用者が前記ゲート内の認証エリアに存在するか否かを判別するコンピュータと、を有し、
前記コンピュータは、前記主トランシーバのみが前記携帯端末が送信した信号を受信した場合、前記携帯端末は前記認証エリアに存在すると判別すること
を特徴とするゲートシステム。
【請求項２】
請求項１記載のゲートシステムであって、
前記コンピュータは、前記主トランシーバが複数の携帯端末が送信した信号を受信した場合、前記主トランシーバおよび前記補助トランシーバの両方で受信された信号を送信した携帯端末は前記認証エリア外に存在すると判別し、前記主トランシーバのみで受信された信号を送信した携帯端末は、前記認証エリアに存在すると判別すること
を特徴とするゲートシステム。
【請求項３】
請求項１または請求項２記載のゲートシステムであって、
前記補助電極は、前記主電極と向きをずらして前記一方のゲートに配置され、前記認証エリア外に異なる通信エリアを形成するような位置に設置されること
を特徴とするゲートシステム。
【請求項４】
請求項１記載のゲートシステムであって、
前記補助電極を遮蔽する、グランドに接続された遮蔽板を、さらに有することこと
を特徴とするゲートシステム。
【請求項５】
利用者が携帯する携帯端末と電界通信を行うゲートシステムであって、
一対のゲートの一方のゲートの内側に設置される主電極と、
前記一方のゲートの出口側に設置される補助電極と、
前記主電極と接続され、前記携帯端末と電界通信が可能な主トランシーバと、
前記補助電極と接続され、前記携帯端末と電界通信が可能な補助トランシーバと、
前記主トランシーバおよび前記補助トランシーバが受信した、前記携帯端末からの信号を用いて、前記携帯端末を携帯する利用者が前記ゲート内の認証エリアに存在するか否かを判別するコンピュータと、を有し、
前記コンピュータは、前記主トランシーバのみが前記携帯端末が送信した信号を受信した場合、前記携帯端末は前記認証エリアに存在すると判別すること
を特徴とするゲートシステム。
【発明の詳細な説明】
【技術分野】
【０００１】
本発明は、電界通信技術を用いたゲートシステムに関する。
【背景技術】
【０００２】
携帯端末の小型化および高性能化によりウェアラブルコンピュータが注目されており、図１４はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたコンピュータ８と通信を行っている。
【０００３】
ここで、このようなウェアラブルコンピュータ７間、およびウェアラブルコンピュータ７とコンピュータ８間とのデータ通信に使用されるトランシーバ９は、送信すべき情報に基づく電界を電界伝達媒体である生体に誘起させ、この誘起した電界を用いて情報の送受信を行うものである。なお、トランシーバ９については、特許文献１および特許文献２に記載されている。
【先行技術文献】
【特許文献】
【０００４】
【特許文献１】特開２００１−３５２２９８号公報
【特許文献２】特開２００６−０８１１１１号公報
【発明の概要】
【発明が解決しようとする課題】
【０００５】
上記のような携帯端末を携帯したユーザが、電極に接触することなどにより、当該電極に接続されたトランシーバを介して、携帯端末とコンピュータとが通信する。このトランシーバに接続される電極から、電極面に対して垂直に電界が放射され、また放射された電界は広がりをもつ。そのため、電極から放射される電界は、広範囲に広がり、対象とするユーザ以外の近傍の他ユーザに不要な電界が放射され、意図しない静電結合（電界カップリング）により、誤認識および誤動作が発生する場合がある。
【０００６】
例えば、図１５に示すゲートシステムの場合、ゲートに設置された電極と、認証エリアの手前にいる利用者（人体または携帯端末）とが容量結合し、携帯端末と電極との間で伝送路が形成されてしまう。これにより、利用者がゲートの認証エリア外にいる場合でも電界通信が行われ、図示する例では、ゲートに進入する前に利用者の認証が行われてしまうという誤認識や誤動作が発生する。
【０００７】
また、図１６に示すゲートシステムの場合、認証エリアにいる現利用者と、ゲートの手前にいる次利用者（人体または携帯端末）とが容量結合し、次利用者の携帯端末と電極との間で伝送路が形成されてしまう。この場合、次利用者の携帯端末からの信号が電極およびトランシーバで受信されることにより、携帯端末を持たない現利用者が不正にゲートを通過してしまうという問題がある。
【０００８】
本発明は、上記課題を解決するためになされたものであり、電界通信を用いたゲートシステムにおいて、利用者の誤認識を防止することを目的とする。
【課題を解決するための手段】
【０００９】
上記目的を達成するため、本発明は、利用者が携帯する携帯端末と電界通信を行うゲートシステムであって、一対のゲートの一方のゲートの内側に設置される主電極と、前記一方のゲートの入口側に設置される補助電極と、前記主電極と接続され、前記携帯端末と電界通信が可能な主トランシーバと、前記補助電極と接続され、前記携帯端末と電界通信が可能な補助トランシーバと、前記主トランシーバおよび前記補助トランシーバが受信した、前記携帯端末からの信号を用いて、前記携帯端末を携帯する利用者が前記ゲート内の認証エリアに存在するか否かを判別するコンピュータと、を有し、前記コンピュータは、前記主トランシーバのみが前記携帯端末が送信した信号を受信した場合、前記携帯端末は前記認証エリアに存在すると判別する。
【００１０】
また、本発明は、利用者が携帯する携帯端末と電界通信を行うゲートシステムであって、一対のゲートの一方のゲートの内側に設置される主電極と、前記一方のゲートの出口側に設置される補助電極と、前記主電極と接続され、前記携帯端末と電界通信が可能な主トランシーバと、前記補助電極と接続され、前記携帯端末と電界通信が可能な補助トランシーバと、前記主トランシーバおよび前記補助トランシーバが受信した、前記携帯端末からの信号を用いて、前記携帯端末を携帯する利用者が前記ゲート内の認証エリアに存在するか否かを判別するコンピュータと、を有し、前記コンピュータは、前記主トランシーバのみが前記携帯端末が送信した信号を受信した場合、前記携帯端末は前記認証エリアに存在すると判別する。
【発明の効果】
【００１１】
本発明によれば、電界通信を用いたゲートシステムにおいて、利用者の誤認識を防止することができる。
【図面の簡単な説明】
【００１２】
【図１】本発明の実施形態に係るゲートシステムの全体構成図である。
【図２】トランシーバの構成例を示すブロック図である。
【図３】利用者がゲートの手前にいる場合の判定処理を説明する説明図である。
【図４】利用者がゲート内の認証エリアにいる場合の判定処理を説明する説明図である。
【図５】現利用者がゲート内の認証エリアにいて、次利用者がゲート手前にいる場合の判定処理を説明する説明図である。
【図６】ゲートの両方に補助電極を設置した例である。
【図７】ゲートの側面に切欠きを形成して補助電極を設置した例である。
【図８】主電極をゲート内の認証エリアの床に敷設した例である。
【図９】主電極をゲートの上面に設置した例である。
【図１０】主電極および補助電極の構造を説明する図である。
【図１１】平行に電極板（平板）を設置した場合の周辺電界を示す図である。
【図１２】利用者の位置と補助電極および主電極が受信する信号レベルとの関係を示す図である。
【図１３】補助電極を覆う遮蔽板を示す図である。
【図１４】トランシーバを介してウェアラブルコンピュータを人間に装着して使用する場合の例を示す図である。
【図１５】ゲート進入前の利用者を誤認識してしまう場合の説明図である。
【図１６】不正にゲートを通過してしまう場合の説明図である。
【発明を実施するための形態】
【００１３】
以下、本発明の実施形態を、図面を用いて説明する。
【００１４】
図１は、本発明の実施形態である電界通信を用いたゲートシステムを説明するための説明図であって、当該ゲートシステムを上からみた上面図である。図示するゲートシステムは、主電極１１と、主電極１１に接続され電界通信を行う主トランシーバ１４と、補助電極１２と、補助電極１２に接続され電界通信を行う補助トランシーバ１３と、主トランシーバ１４および補助トランシーバ１３に接続されるコンピュータ１５とを有する。
【００１５】
主電極１１および補助電極１２は、一対のゲート３１、３２の内の一方のゲート３２に設置される。図示する例では、主電極１１については、ゲート３２の通路側（内側）の側面（側壁）に設置する。すなわち、認証エリアにいる現利用者と容量結合または接触しやすい位置に、主電極１１を設置する。
【００１６】
また、補助電極１２については、一方のゲート３２の入口側の前面（前壁）に設置する。すなわち、補助電極１２とゲートの手前にいる次利用者（または非対象者）とが死角にならず、補助電極１２と次利用者とが容量結合が可能な位置に補助電極１２を設置する。また、補助電極１２とゲート内の認証エリアにいる現利用者とは死角になり、補助電極１２と現利用者とは容量結合が不可能な位置に、補助電極１２を設置する。図示する例では、認証エリアと補助電極１２とが、ゲート３２により死角となり、また、主電極１１と補助電極１２とは、互いに向きをずらして（ここでは、９０°ずらして）設置する。すなわち、補助電極は、主電極による認証エリアとは異なる通信エリアをゲート外に形成するような位置に設置される。
【００１７】
補助トランシーバ１３および主トランシーバ１４は、電界信号検出技術を利用していて、送信すべき情報に基づく電界を電界伝達媒体に誘起させ、この誘起した電界を用いて情報の送受信を行うものである。トランシーバ１３、１４は、例えば、図２に示す構成をしており、コンピュータ１５からの送信データを入出力（Ｉ／Ｏ）回路９０１を介して受け取ると、この送信データを送信部９０２を介して電極（主電極１１、補助電極１２）に供給し、当該電極を介して電界伝達媒体に電界を誘起させ、この電界を電界伝達媒体の他の部位に伝達させる。また、トランシーバ１３、１４は、電界伝達媒体に誘起されて伝達されてくる電界を電極１１、１２で検出し、この電界を電界検出部９０５に結合して電気信号に変換する。そして、この電気信号は、信号処理回路９０６で増幅、ノイズ除去などの信号処理を施され、更に波形整形回路９０７で波形整形がなされ、入出力回路９０１を介してコンピュータ１５に出力するようになっている。
【００１８】
コンピュータ１５は、主トランシーバ１４および補助トランシーバ１３が受信した、利用者が携帯する携帯端末からの信号を用いて、利用者がゲート内の認証エリアに存在するか否かを判別する。具体的には、主トランシーバ１４のみが携帯端末が送信した信号を受信した場合、携帯端末は認証エリアに存在すると判別する。また、コンピュータ１５は、主トランシーバ１４が複数の携帯端末が送信した信号を受信した場合、主トランシーバ１４および補助トランシーバ１３の両方で受信された信号を送信した携帯端末は認証エリア外に存在すると判別し、主トランシーバ１４のみで受信された信号を送信した携帯端末は、認証エリアに存在すると判別する。
【００１９】
次に、本実施形態のゲートシステムにおける、利用者の位置の判定処理について説明する。
【００２０】
図３は、携帯端末２１を携帯する利用者が、ゲートの手前（認証エリア外）にいる場合の判定処理を説明する説明図である。図３に示す例では、携帯端末２１を携帯した利用者が、例えば駅の改札や所定のエリアに入場するための通路に設けられたゲート３１、３２に進入する前に、ゲートの手前（認証エリア外）にいるものとする。
【００２１】
なお、利用者の携帯端末２１は、コンピュータと、トランシーバとを備える。携帯端末２１のコンピュータは、メモリなどの記憶部に記憶されたＩＤを、トランシーバを用いて送信する。携帯端末２１のトランシーバは、図２で説明したトランシーバと同様であって、電界通信を行う。
【００２２】
図示する例では、利用者（携帯端末２１）と主電極１１との間で容量結合が発生し、携帯端末２１と主電極１１との間で、第１の通信経路（経路１）が形成される。これにより、携帯端末２１は、主トランシーバ１４と通信が可能になる。また、利用者（携帯端末２１）と補助電極１２との間で容量結合が発生し、携帯端末２１と補助電極１２との間で、第２の通信経路（経路２）が形成される。これにより、携帯端末２１は、補助トランシーバ１３と通信が可能になる。
【００２３】
また、本実施形態の主電極１１は、コンピュータ１５または主トランシーバ１４の制御により、要求信号を常時送信しているものとする。主電極１１から大気に放射される要求信号の電界は認証エリア外の近傍の利用者（携帯端末２１）と容量結合し、要求信号は、第１の通信経路を通って携帯端末２１に受信される。
【００２４】
携帯端末２１は、要求信号を受信すると記憶部に記憶されたＩＤを含む応答信号を送信する。携帯端末２１のトランシーバの電極から大気に放射される応答信号の電界は、主電極１１と容量結合し、応答信号は、第１の通信経路を通って主トランシーバ１４に受信される。また応答信号の電界は、補助電極１２とも容量結合し、応答信号は、第２の通信経路を通って補助トランシーバ１３に受信される。
【００２５】
主トランシーバ１４は受信した応答信号をコンピュータ１５に出力し、補助トランシーバ１３は受信した応答信号をコンピュータ１５に出力する。コンピュータ１５は、送信した要求信号に対する応答信号を、主トランシーバ１４および補助トランシーバ１３から受信し、この２つの応答信号のＩＤが同じ場合（すなわち、同じ携帯端末２１から送信された応答信号の場合）、携帯端末２１を携帯する利用者は、適切な認証エリア外にいると判別する。図示する例では、ゲートの手前にいると判別する。
【００２６】
この場合、コンピュータ１５は、利用者は認証エリア外にいる非対象者であると判別し、ＩＤによるユーザ認証処理、課金処理、認証・課金結果に応じたゲートの扉（不図示）の開閉処理などの所定の処理を行うことなく、受信した２つの応答信号を破棄する。
【００２７】
図４は、携帯端末２１を携帯した利用者がゲート内の認証エリアにいる場合の判定処理を説明する説明図である。
【００２８】
この場合、主電極１１から送信される要求信号は、容量結合により（または、利用者が主電極１１に接触することにより）、携帯端末２１に受信される。携帯端末２１は、要求信号を受信すると記憶部に記憶されたＩＤを含む応答信号を送信する。携帯端末２１から送信される応答信号の電界は主電極１１との容量結合し、これにより応答信号が主トランシーバ１４に受信され、コンピュータ１５に出力される。
【００２９】
一方、携帯端末２１から送信される応答信号の電界は広がりを持つが、前述のとおり、認証エリアと補助電極１２とはゲート３２により死角となっている。そのため、応答信号の電界は補助電極１２と容量結合されず、補助トランシーバ１３は応答信号を受信しない。したがって、補助トランシーバ１３は、コンピュータ１５に応答信号を出力しない。
【００３０】
コンピュータ１５は、要求信号に対する応答信号を、主トランシーバ１４（第１の通信経路）のみから受信した場合、携帯端末２１を携帯する利用者は、適切な認証エリア内にいると判別する。この場合、コンピュータ１５は、利用者は認証エリア内にいる対象者であると判別し、応答信号のＩＤによるユーザ認証処理、課金処理等の所定の処理を行う。
【００３１】
図５は、携帯端末２１Ａを携帯した現利用者がゲート内の認証エリアにいて、携帯端末２１Ｂを携帯した次利用者がゲート手前の認証エリア外にいる場合の判定処理を説明する説明図である。
【００３２】
図示する例では、携帯端末２１Ｂを携帯する次利用者と、携帯端末２１Ａを携帯する現利用者との間で容量結合が発生し、また、携帯端末２１Ａを携帯する現利用者と主電極１１との間で容量結合が発生し、携帯端末２１Ｂと主電極１１との間で、現利用者（携帯端末２１Ａ）を介した第１の通信経路（経路１）が形成される。これにより、携帯端末２１Ｂおよび携帯端末２１Ａは、主トランシーバ１４と通信が可能になる。
【００３３】
また、携帯端末２１Ｂを携帯する次利用者と補助電極１２とが容量結合することで、携帯端末２１Ｂと補助電極１２との間に第２の通信経路（経路２）が形成され、携帯端末２１Ｂは、補助トランシーバ１３と通信が可能となる。
【００３４】
この場合、主電極１１から送信される要求信号は、第１の通信経路を介して現利用者の携帯端末２１Ａに受信される。これにより、携帯端末２１Ａは、記憶部に記憶されたＩＤ：Ａを含む応答信号を第１の通信経路を介して主電極１１および主トランシーバ１４に送信する。主トランシーバ１４は、受信した応答信号（ＩＤ：Ａ）を、コンピュータ１５に出力する。
【００３５】
また、主電極１１から送信される要求信号は、第１の通信経路を介して次利用者の携帯端末２１Ｂにも受信される。これにより、携帯端末２１Ｂは、記憶部に記憶されたＩＤ：Ｂを含む応答信号を送信する。この応答信号は、第１の通信経路を介して主電極１１および主トランシーバ１４に送信されるとともに、第２の通信経路を介して補助電極１２および補助トランシーバ１３に送信される。主トランシーバ１４および補助トランシーバ１３は、それぞれ、受信した応答信号（ＩＤ：Ｂ）をコンピュータ１５に出力する。
【００３６】
コンピュータ１５は、要求信号に対する応答信号として、主トランシーバ１４からは応答信号（ＩＤ：Ａ）と応答信号（ＩＤ：Ｂ）とを受信し、補助トランシーバ１３からは応答信号（ＩＤ：Ｂ）を受信する。この場合、コンピュータ１５は、応答信号（ＩＤ：Ｂ）については、主トランシーバ１４（第１の通信経路）と、補助トランシーバ１３（第２の通信経路）の両方から受信しているため、携帯端末２１Ｂは認証エリア外（図示する例では、ゲートの手前）にいると判別し、ユーザ認証処理、課金処理等の所定の処理を行うことなく、２つの応答信号（ＩＤ：Ｂ）を破棄する。なお、信号レベルが弱い場合、補助トランシーバ１３（第２の通信経路）のみから応答信号（ＩＤ：Ｂ）が受信される場合があるが、この場合も、応答信号（ＩＤ：Ｂ）は破棄される。  
一方、コンピュータ１５は、応答信号（ＩＤ：Ａ）については、主トランシーバ１４（第１の通信経路）のみから受信しているため、携帯端末２１Ａは認証エリア内にいると判別し、応答信号（ＩＤ：Ａ）によるユーザ認証処理、課金処理等の所定の処理を行う。すなわち、携帯端末２１Ａを携帯する利用者を処理対象とすべき現利用者であると判別する。
【００３７】
次に、補助電極１２の配置の変形例について説明する。
【００３８】
図６は、ゲート３１、３２の両方の前壁に、補助電極１２、１２Ａを設置した例である。図６では、コンピュータ１５には、３つのトランシーバ１３、１３Ａ、１４から送信される応答信号が入力される。補助トランシーバ１３、１３Ａを左右の両ゲート３１、３２に設置することで、利用者の検知精度を高めることができる。すなわち、認証エリア外にいる次利用者（非対象者）の立ち位置や携帯端末２１の装着位置によっては、本来、補助トランシーバ１３（第２の通信経路）から受信されるべき携帯端末２１の応答信号が受信されず、主トランシーバ１４（第１の通信経路）のみからの応答信号がコンピュータ１５に入力されてしまう場合がある。これに対し、図６では、補助電極を２つ設けることで、少なくともどちらか一方の補助電極で応答信号の電界が容量結合され、いずれかの補助トランシーバ（第２の通信経路）で応答信号が受信され、コンピュータ１５に入力されるため、より誤認識を防止することができる。
【００３９】
図７は、ゲート３２の側面に切欠きを形成し、出口向き（認証エリアに向かない方向）に補助電極１２Ｂを設置した例である。この補助電極１２Ｂは、携帯端末２１Ａ、２１Ｂを携帯した複数の利用者（処理対象の現利用者と、既に処理済みの前利用者）がゲート内に存在する場合に、対象とする現利用者を判別するためのものである。
【００４０】
具体的には、主電極１１を介して主トランシーバ１４には、現利用者の携帯端末２１Ａの応答信号（ＩＤ：Ａ）と、前利用者の携帯端末２１Ｂの応答信号（ＩＤ：Ｂ）とが受信される。また、補助電極１２Ｂを介して補助トランシーバ１３には、前利用者の携帯端末２１Ｂの応答信号（ＩＤ：Ｂ）が受信される。コンピュータ１５は、応答信号（ＩＤ：Ｂ）については、主トランシーバ１４と補助トランシーバ１３の両方から受信されるため、認証エリア外の非対象の前利用者であると判別し、２つの応答信号（ＩＤ：Ｂ）を破棄する。一方、応答信号（ＩＤ：Ａ）については、主トランシーバ１４のみから受信されるため、認証エリア内の対象とする現利用者であると判別し、所定の処理を行う。
【００４１】
これにより、処理対象の現利用者と、既に処理済みの前利用者とを判別し、前利用者を現利用者として誤認識してしまうことを防止できる。なお、補助電極１２Ｂの他に、ゲート３２やゲート３１の前壁に図１等で説明した補助電極１２をさらに備えることとしてもよい。
【００４２】
次に、主電極１１の配置の変形例について説明する。
【００４３】
図８は、主電極１１をゲート内の認証エリア２２の床に敷設した例である。この場合、携帯端末２１を携帯した利用者が床の主電極１１に接触することで、利用者の人体を電界伝達媒体とした通信経路が形成され、携帯端末２１と主トランシーバ１４との間で通信が可能となる。
【００４４】
図９は、認証エリア２２内の利用者が手で接触（タッチ）できるように、主電極１１をゲート３２の上面に設置した例である。この場合、携帯端末２１を携帯した利用者が手で主電極１１に接触することで、利用者の人体を電界伝達媒体とした通信経路が形成され、携帯端末２１と主トランシーバ１４との間で通信が可能となる。
【００４５】
次に、主電極１１および補助電極１２の構造について説明する。
【００４６】
図１０（ａ）は主電極１１および補助電極１２の平面図で、図１０（ｂ）は断面図である。図１０（ｂ）に示すように、主電極１１および補助電極１２は、絶縁体４３を両面から導電体４１、４２で挟み込んだ構造である。絶縁体４３には例えば、空気層を用い、導電体４１、４２には例えば銅板などを用いる。
【００４７】
導電体４１、４２間の距離（すなわち、絶縁体４３の厚さ）は、例えば数ｍｍから１ｃｍ程度である。主電極１１の大きさは、例えば、ゲートの壁面に設置する場合は３０ｃｍ×３０ｃｍ程度（図１参照）、床面に設置する場合は踏み損じを防ぐため５０ｃｍ×６０ｃｍ程度（図８参照）、ゲート上面に設置する場合は手の平サイズの１０ｃｍ×１０ｃｍ程度（図９参照）とすることが考えられる。補助電極１２の大きさは、例えば、１０ｃｍ×５０ｃｍ程度とすることが考えられる。
【００４８】
次に、電極板の方向依存性について説明する。
【００４９】
図１１は、平行に電極板（平板）を設置した場合の周辺電界を示す図である。電界は、距離の３乗に反比例し、電極板から遠ざかるほど弱くなる距離依存性と、電極板の水平方向で最大となり、垂直方向で最小となる方向依存性とを有する。本実施形態は、この原理を利用し、ゲート手前では、利用者が補助電極１２（電極板）の水平方向に位置するため、利用者と補助電極１２との容量結合が強い。一方、ゲート内では、利用者が補助電極１２（電極板）の垂直方向に位置するため、利用者と補助電極１２との容量結合が弱い。
【００５０】
図１２に、携帯端末２１を携帯する利用者の位置と、補助電極１２および主電極１１が受信する信号レベルの関係を示す。図示する例では、認証エリア手前の位置ｔの信号レベルを信号とみなす閾値Ｔとする。携帯端末２１と補助電極１２とは、閾値Ｔを超える区間１および区間２で通信が確立し、この区間で補助電極１２（補助トランシーバ１３）は携帯端末２１が送信する応答信号を受信する。携帯端末２１と主電極１１とは、閾値Ｔを超える区間２および区間３で通信が確立し、この区間で主電極１１（主トランシーバ１４）は携帯端末２１が送信する応答信号を受信する。このように、主電極１１（主トランシーバ１４）のみが応答信号を受信する区間３の場合に、コンピュータ１５は、利用者が適正な認証エリアにいると判別する。
【００５１】
以上説明した本実施形態では、主トランシーバ１４および補助トランシーバ１３から出力される携帯端末２１からの応答信号を用いて、携帯端末２１を有する利用者がゲート内の認証エリアに存在するか否か（利用者の位置）を判別する。すなわち、主トランシーバ１４のみが応答信号を受信した場合、当該携帯端末２１を携帯する利用者が認証エリアに存在する判別し、主トランシーバ１４および補助トランシーバ１３の両方が同じＩＤの応答信号を受信した場合、当該携帯端末２１を携帯する利用者は認証エリアに存在しない非対象の利用者であると判別する。
【００５２】
これにより、本実施形態では、ゲート進入前（ゲート手前）などの不適切な位置にいる利用者の誤認を防止することができ、認証エリアにいる利用者に対してのみ適切な入出場処理を実現することができる。また、携帯端末を持たない利用者の不正なゲートの通過（共連れなど）も防止することができる。
【００５３】
また、本実施形態では、主トランシーバ１４が複数の携帯端末２１が送信した信号を受信した場合、主トランシーバ１４および補助トランシーバ１３の両方で受信された信号を送信した携帯端末は認証エリア外に存在すると判別し、主トランシーバのみで受信された信号を送信した携帯端末は、認証エリアに存在すると判別する。これにより、ゲート前の次利用者と、認証エリア内の現利用者との誤認を防止することができる。
【００５４】
また、本実施形態では、補助電極１２を主電極１１と向きをずらしてゲートに配置し、当該ゲートにより認証エリアから死角となる位置に設置する。これにより、ゲート内の認証エリアにいる利用者（携帯端末２１）と補助電極１２とは静電結合が発生しないため、主電極１１（第１の通信経路）のみから携帯端末２１の応答信号が受信される。
【００５５】
また、本実施形態では、補助電極１２をゲートの出口側に設置する。これにより、本実施形態では、ゲート内に複数の利用者（現利用者、前利用者）が存在する場合であっても、適切に現利用者を判別することができる。
【００５６】
なお、本発明は上記実施形態に限定されるものではなく、その要旨の範囲内で数々の変形が可能である。
【００５７】
例えば、図１３に示すように、上記実施形態の補助電極１２を遮蔽板１８で覆い、当該遮蔽板１８をグランドに接続してアースすることとしてもよい。これにより、補助電極１２と利用者（携帯端末２１）との容量結合の指向性を、より高めることができる。具体的には、遮蔽板１８で覆われていない側のエリア２０１でのみ、補助電極１２と利用者（携帯端末２１）とを容量結合させ、遮蔽板１８で覆われている側のエリア２０２、２０３では、補助電極１２と利用者（携帯端末２１）とを容量結合させないようにする。なお、主電極１１についても、同様に、グランドに接続された遮蔽板で覆うことで、認証エリアをより限定的に制御することとしてもよい。
【００５８】
また、上記実施形態では、主電極１１および補助電極１２を、ゲートシステムのゲートに設置することを例として説明したが、本発明は、ゲートシステムに限定されるものではなく、様々な用途のシステムで適用することができる。
【符号の説明】
【００５９】
１１    主電極
１２    補助電極
１３    補助トランシーバ
１４    主トランシーバ
１５    コンピュータ
２１    携帯端末
３１、３２  ゲート
【図１】
0005285743.tif 000002
【図２】
0005285743.tif 000003
【図３】
0005285743.tif 000004
【図４】
0005285743.tif 000005
【図５】
0005285743.tif 000006
【図６】
0005285743.tif 000007
【図７】
0005285743.tif 000008
【図８】
0005285743.tif 000009
【図９】
0005285743.tif 000010
【図１０】
0005285743.tif 000011
【図１１】
0005285743.tif 000012
【図１２】
0005285743.tif 000013
【図１３】
0005285743.tif 000014
【図１４】
0005285743.tif 000015
【図１５】
0005285743.tif 000016
【図１６】
0005285743.tif 000017